【手続補正書】
【提出日】平成16年1月9日(2004.1.9)
【手続補正１】
【補正対象書類名】明細書
【補正対象項目名】特許請求の範囲
【補正方法】変更
【補正の内容】
【特許請求の範囲】
【請求項１】
再狭窄を治療するおよび／または予防するための治療組成物の製造のための、EC-SODをコードする核酸の使用。
【請求項２】
血管肥厚を治療するおよび／または予防するための治療組成物の製造のための、EC-SODをコードする核酸の使用。
【請求項３】
血管処置による損傷により症状が引き起こされる、請求項１または2記載のEC-SODをコードする核酸の使用。
【請求項４】
再狭窄を治療するおよび／または予防するための治療組成物の製造のための、EC-SODタンパク質の使用。
【請求項５】
血管肥厚を治療するおよび／または予防するための治療組成物の製造のための、EC-SODタンパク質の使用。
【請求項６】
血管処置による損傷により症状が引き起こされる、請求項4または5記載のEC-SODタンパク質の使用。
【請求項７】
再狭窄を治療するおよび／または予防するための治療組成物の製造のための、細胞外スーパーオキシドジスムターゼ(EC-SOD)タンパク質の産生をもたらすことが可能な、翻訳または転写産物をコードすることを特徴とする、生体適合性培地中に存在する核酸の使用。
【請求項８】
血管肥厚を治療するおよび／または予防するための治療組成物の製造のための、細胞外スーパーオキシドジスムターゼ(EC-SOD)タンパク質の産生をもたらすことが可能な、翻訳または転写産物をコードすることを特徴とする、生体適合性培地中に存在する核酸の使用。
【請求項９】
血管処置による損傷により症状が引き起こされる、請求項7または8記載の核酸の使用。
【請求項１０】
マクロファージ集積を減少させるための治療組成物の製造のための、EC-SODをコードする核酸、若しくはEC-SODタンパク質、または細胞外スーパーオキシドジスムターゼ(EC-SOD)タンパク質の産生をもたらすことが可能な、翻訳または転写産物をコードすることを特徴とする、生体適合性培地中に存在する核酸の使用。
【請求項１１】
内皮細胞の増殖を増大させるための治療組成物の製造のための、EC-SODをコードする核酸、若しくはEC-SODタンパク質、または細胞外スーパーオキシドジスムターゼ(EC-SOD)タンパク質の産生をもたらすことが可能な、翻訳または転写産物をコードすることを特徴とする、生体適合性培地中に存在する核酸の使用。
【請求項１２】
過形成性結合組織の増殖を阻害および／または内皮形成を促進させるための、治療組成物の製造のための、EC-SODをコードする核酸、若しくはEC-SODタンパク質、または細胞外スーパーオキシドジスムターゼ(EC-SOD)タンパク質の産生をもたらすことが可能な、翻訳または転写産物をコードすることを特徴とする、生体適合性培地中に存在する核酸の使用。
【請求項１３】
過形成性結合組織、若しくは線維筋形成を阻害および／または内皮形成を促進させるための、治療組成物の製造のための、EC-SODをコードする核酸、若しくはEC-SODタンパク質、または細胞外スーパーオキシドジスムターゼ(EC-SOD)タンパク質の産生をもたらすことが可能な、翻訳または転写産物をコードすることを特徴とする、生体適合性培地中に存在する核酸の使用。
【請求項１４】
治療組成物が局所または全身輸送により投与される、請求項1〜13のいずれか一項に記載の使用。
【請求項１５】
核酸が裸の形態で生体適合性培地中に存在する、請求項1〜14のいずれか一項に記載の使用。
【請求項１６】
核酸がレトロウイルス、センダイウイルス、アデノ随伴ウイルス、およびアデノウイルスからなる群より選択される、ウイルスベクター中に導入されている、請求項1〜14のいずれか一項に記載の使用。
【請求項１７】
核酸がリポソーム中に存在する、請求項1〜16のいずれか一項に記載の使用。
【請求項１８】
生体適合性培地が生体安定性ポリマー、生体吸収性ポリマー、生体分子、ヒドロゲルポリマー、またはフィブリンである、請求項1〜16のいずれか一項に記載の使用。
【請求項１９】
EC-SODをコードする核酸を含む治療組成物を、投与する必要がある哺乳類に投与する、再狭窄を治療するおよび／または予防するための方法。
【請求項２０】
EC-SODをコードする核酸を含む治療組成物を、投与する必要がある哺乳類に投与する、血管肥厚を治療するおよび／または予防するための方法。
【請求項２１】
血管処置による損傷により症状が引き起こされる、請求項19または20記載の方法。
【請求項２２】
EC-SODタンパク質を含む治療組成物を、投与する必要がある哺乳類に投与する、再狭窄を治療するおよび／または予防するための方法。
【請求項２３】
EC-SODタンパク質を含む治療組成物を、投与する必要がある哺乳類に投与する、血管肥厚を治療するおよび／または予防するための方法。
【請求項２４】
血管処置による損傷により症状が引き起こされる、請求項22または23記載の方法。
【請求項２５】
細胞外スーパーオキシドジスムターゼ(EC-SOD)タンパク質の産生をもたらすことが可能な、翻訳または転写産物をコードすることを特徴とする、生体適合性培地中に存在する核酸を含む治療組成物を、投与する必要がある哺乳類に投与する、再狭窄を治療するおよび／または予防するための方法。
【請求項２６】
細胞外スーパーオキシドジスムターゼ(EC-SOD)タンパク質の産生をもたらすことが可能な、翻訳または転写産物をコードすることを特徴とする、生体適合性培地中に存在する核酸を含む治療組成物を、投与する必要がある哺乳類に投与する、血管肥厚を治療するおよび／または予防するための方法。
【請求項２７】
血管処置による損傷により症状が引き起こされる、請求項25または26記載の方法。
【請求項２８】
EC-SODをコードする核酸、若しくはEC-SODタンパク質、または細胞外スーパーオキシドジスムターゼ(EC-SOD)タンパク質の産生をもたらすことが可能な、翻訳または転写産物をコードすることを特徴とする、生体適合性培地中に存在する核酸を含む治療組成物を、投与する必要がある哺乳類に投与する、マクロファージ集積を減少させるための方法。
【請求項２９】
EC-SODをコードする核酸、若しくはEC-SODタンパク質、または細胞外スーパーオキシドジスムターゼ(EC-SOD)タンパク質の産生をもたらすことが可能な、翻訳または転写産物をコードすることを特徴とする、生体適合性培地中に存在する核酸を含む治療組成物を、投与する必要がある哺乳類に投与する、内皮細胞の増殖を増大させるための方法。
【請求項３０】
EC-SODをコードする核酸、若しくはEC-SODタンパク質、または細胞外スーパーオキシドジスムターゼ(EC-SOD)タンパク質の産生をもたらすことが可能な、翻訳または転写産物をコードすることを特徴とする、生体適合性培地中に存在する核酸を含む治療組成物を、投与する必要がある哺乳類に投与する、過形成性結合組織の増殖を阻害するおよび／または内皮形成を促進させるための方法。
【請求項３１】
EC-SODをコードする核酸、若しくはEC-SODタンパク質、または細胞外スーパーオキシドジスムターゼ(EC-SOD)タンパク質の産生をもたらすことが可能な、翻訳または転写産物をコードすることを特徴とする、生体適合性培地中に存在する核酸を含む治療組成物を、投与する必要がある哺乳類に投与する、過形成性結合組織、若しくは線維筋形成を阻害するおよび／または内皮形成を促進させるための方法。
【請求項３２】
治療組成物が局所または全身輸送により投与される、請求項19〜31のいずれか一項に記載の方法。
【請求項３３】
核酸が裸の形態で生体適合性培地中に存在する、請求項19〜32のいずれか一項に記載の方法。
【請求項３４】
核酸がレトロウイルス、センダイウイルス、アデノ随伴ウイルス、およびアデノウイルスからなる群より選択されるウイルスベクター中に導入されている、請求項19〜32のいずれか一項に記載の方法。
【請求項３５】
核酸がリポソーム中に存在する、請求項19〜34のいずれか一項に記載の方法。
【請求項３６】
生体適合性培地が生体安定性ポリマー、生体吸収性ポリマー、生体分子、ヒドロゲルポリマー、またはフィブリンである、請求項19〜35のいずれか一項に記載の方法。
【請求項３７】
治療組成物を投与する段階を少なくとも1回繰り返す、請求項19〜36のいずれか一項に記載の方法。
【請求項３８】
投与する必要がある哺乳類がヒトである、請求項19〜37のいずれか一項に記載の方法。